(57)【要約】【課題】任意のチャンネルを用いた無線環境の状態を判定して通知できる送信装置、受信装置及び無線通信システムを提供する。【解決手段】送信装置１は、受信装置２との無線通信におけるスループットを測定するための測定用データを受信装置２へ送信し、所定時間内に受信装置２へ送信できたデータ量を測定し、測定したデータ量に基づいてスループットを算出する。一方、受信装置２は、所定時間内に受信できたデータ量を測定し、測定したデータ量に基づいてスループットを算出する。送信装置１及び受信装置２は、それぞれ算出したスループットを表示部１４，２４に表示する。また送信装置１は、使用チャンネルの変更を受信装置２に指示して異なるチャンネルを用いた無線通信を開始し、同様に測定用データの受信装置２への送信を行う。送信装置１及び受信装置２は、所定時間内に送信又は受信できたデータ量の測定、スループットの算出及び表示を繰り返す。【選択図】図１
2014049893.tif 000002
【特許請求の範囲】
【請求項１】
無線通信に用いる複数のチャンネルのいずれかに切り替える切替部と、該切替部が切り替えたチャンネルを用いて外部へ信号を送信する送信部とを有する送信装置において、
前記切替部が切り替えたチャンネルを用いて前記送信部が信号を送信する際のスループットを測定する測定部と、
該測定部が測定したスループットを表示する表示部と
を備えることを特徴とする送信装置。
【請求項２】
前記複数のチャンネルのいずれかを選択する選択部を備え、
前記切替部は、前記選択部が選択したチャンネルに切り替えるようにしてあることを特徴とする請求項１に記載の送信装置。
【請求項３】
いずれのチャンネルに切り替えるべきかを指示する信号を取得する取得部を備え、
前記切替部は、前記取得部が取得した信号に基づいて、前記複数のチャンネルのいずれかに切り替えるようにしてあることを特徴とする請求項１に記載の送信装置。
【請求項４】
所定のスループットを予め記憶してある記憶部と、
前記測定部が測定したスループットが、前記記憶部に記憶してある所定のスループット以上であるか否かを判定する判定部とを備え、
前記表示部は、前記判定部の判定結果を表示するようにしてあることを特徴とする請求項１から３までのいずれかひとつに記載の送信装置。
【請求項５】
無線通信に用いる複数のチャンネルのいずれかに切り替える切替部と、該切替部が切り替えたチャンネルを用いて外部から信号を受信する受信部とを有する受信装置において、
前記切替部が切り替えたチャンネルを用いて前記受信部が信号を受信する際のスループットを測定する測定部と、
該測定部が測定したスループットを表示する表示部と
を備えることを特徴とする受信装置。
【請求項６】
前記複数のチャンネルのいずれかを選択する選択部を備え、
前記切替部は、前記選択部が選択したチャンネルに切り替えるようにしてあることを特徴とする請求項５に記載の受信装置。
【請求項７】
いずれのチャンネルに切り替えるべきかを指示する信号を取得する取得部を備え、
前記切替部は、前記取得部が取得した信号に基づいて、前記複数のチャンネルのいずれかに切り替えるようにしてあることを特徴とする請求項５に記載の受信装置。
【請求項８】
所定のスループットを予め記憶してある記憶部と、
前記測定部が測定したスループットが、前記記憶部に記憶してある所定のスループット以上であるか否かを判定する判定部とを備え、
前記表示部は、前記判定部の判定結果を表示するようにしてあることを特徴とする請求項５から７までのいずれかひとつに記載の受信装置。
【請求項９】
請求項２に記載の送信装置と、
請求項７に記載の受信装置とを備え、
前記送信装置は、前記選択部が選択したチャンネルに切り替えることを指示する信号を前記受信装置へ送出するようにしてあり、
前記受信装置の取得部は、前記送信装置から送出された前記信号を取得するようにしてあり、
前記受信装置の切替部は、前記取得部が前記送信装置から取得した信号が指示するチャンネルに切り替えるようにしてあることを特徴とする無線通信システム。
【請求項１０】
請求項３に記載の送信装置と、
請求項６に記載の受信装置とを備え、
前記受信装置は、前記選択部が選択したチャンネルに切り替えることを指示する信号を前記送信装置へ送出するようにしてあり、
前記送信装置の取得部は、前記受信装置から送出された前記信号を取得するようにしてあり、
前記送信装置の切替部は、前記取得部が前記受信装置から取得した信号が指示するチャンネルに切り替えるようにしてあることを特徴とする無線通信システム。
【発明の詳細な説明】
【技術分野】
【０００１】
本発明は、無線通信にて信号を送信する送信装置、無線通信にて信号を受信する受信装置、並びに、前記送信装置及び前記受信装置を備える無線通信システムに関する。
【背景技術】
【０００２】
近年、有線ネットワークを利用してシステムを構築する際の煩雑な配線作業が不要となるという利点から、無線ＬＡＮ（Local Area Network）等の無線ネットワークを利用したシステムが普及している。無線ＬＡＮは、ＩＥＥＥ（電気電子学会）で標準化作業が進められており、ＩＥＥＥ８０２．１１ｂ、ＩＥＥＥ８０２．１１ｇ、ＩＥＥＥ８０２．１１ａ及びＩＥＥＥ８０２．１１ｎ等の規格がある。これらの規格に準拠した機器を用いることにより、手軽に無線ＬＡＮシステムを構築することができる。
最近では、自宅に設置された個人用のアクセスポイントだけでなく、屋外に設置された公共のアクセスポイント、又はプロバイダが提供する有料のアクセスポイント等も、無線ＬＡＮにて接続可能となっている場合が多い。また、携帯端末及びノート型ＰＣ（Personal Computer）等の可搬型の機器だけでなく、テレビジョン受信機及び記録再生装置等の据え置き型の機器も無線ＬＡＮに接続可能に構成されている場合もある。
【０００３】
無線ネットワークを使用する場合、同一強度の電波を使用する場合であっても、使用環境によってデータ伝送可能な距離が異なる。例えば、無線通信を行う機器間に介在する障害物の有無、障害物の材質等に応じてデータ伝送可能な距離が異なるので、壁等の障害物のない空間、障害物を挟んだ場所等におけるデータ伝送距離はそれぞれ異なる。従って、無線端末間で十分なデータ量が伝送できる環境であるかを判定する場合、無線端末間で実際にデータ伝送を行い、その際に送受信されたデータ量を検出する必要がある。
【０００４】
従来、アクセスポイントから送信されるビーコンを受信して受信電波強度（ＲＳＳＩ値）を観測することにより、アクセスポイントとの無線通信が可能であるか否かの判定が行われている。しかし、ＲＳＳＩ値は、受信電波強度を示す値であるので、実際に伝送可能なデータ量の判定には使用できない。従って、ＲＳＳＩ値を用いるだけでは、真に良好な環境であるかを判定することはできない。例えば、十分な受信電波強度を有する場合であっても、無線干渉や不要輻射等が発生する環境では、十分なデータ量を伝送できず、このような環境は良好な使用環境であるとは判定できない。
【０００５】
そこで、特許文献１では、無線端末が、接続可能な複数のアクセスポイントのうちで最良のアクセスポイントを特定する際に、各アクセスポイントとの間のスループットを用いる技術が提案されている。
【先行技術文献】
【特許文献】
【０００６】
【特許文献１】特開２００７−１４２８５９号公報
【発明の概要】
【発明が解決しようとする課題】
【０００７】
特許文献１に開示された技術では、無線端末が、既に設置されたアクセスポイントのうちで、最良のスループットが得られるアクセスポイントを特定することができる。しかしながら、特許文献１に開示された技術は、任意のチャンネルを使用した際のスループットを測定できる構成ではなく、また、アクセスポイントの設置前に、どこが最良の設置場所であるかを判定できる構成ではない。よって、特許文献１に開示された技術では、チャンネルの変更及びアクセスポイントの設置位置の変更を含めた使用環境の良否を判定することはできず、使用環境の最適化には限界を有するという問題がある。
【０００８】
本発明は、斯かる事情に鑑みてなされたものであり、その目的とするところは、任意のチャンネルに基づく使用環境の状態を判定し、ユーザに通知できる送信装置、受信装置及び無線通信システムを提供することにある。
【課題を解決するための手段】
【０００９】
本発明に係る送信装置は、無線通信に用いる複数のチャンネルのいずれかに切り替える切替部と、該切替部が切り替えたチャンネルを用いて外部へ信号を送信する送信部とを有する送信装置において、前記切替部が切り替えたチャンネルを用いて前記送信部が信号を送信する際のスループットを測定する測定部と、該測定部が測定したスループットを表示する表示部とを備えることを特徴とする。
【００１０】
本発明によれば、チャンネルの切り替えが可能な送信装置が、切り替えたチャンネルを用いて信号を送信する際のスループットを測定し、測定したスループットを表示する。よって、各チャンネルを使用した信号送信時におけるスループットをユーザに通知することができる。
【００１１】
本発明に係る送信装置は、前記複数のチャンネルのいずれかを選択する選択部を備え、前記切替部は、前記選択部が選択したチャンネルに切り替えるようにしてあることを特徴とする。
【００１２】
本発明によれば、送信装置は、切り替えるべきチャンネルの選択が可能である。送信装置は、切り替えるべきチャンネルを、自動的に又はユーザによる選択指示に従って選択し、選択したチャンネルに切り替え、切り替えたチャンネルを用いて信号を送信する際のスループットを測定して表示する。よって、任意のチャンネルを使用した信号送信時におけるスループットをユーザに通知することができる。
【００１３】
本発明に係る送信装置は、いずれのチャンネルに切り替えるべきかを指示する信号を取得する取得部を備え、前記切替部は、前記取得部が取得した信号に基づいて、前記複数のチャンネルのいずれかに切り替えるようにしてあることを特徴とする。
【００１４】
本発明によれば、送信装置は、チャンネルの切り替え指示を外部から取得し、取得した指示に従ってチャンネルを切り替える。送信装置は、外部から取得した指示に従って切り替えたチャンネルを用いて信号を送信する際のスループットを測定して表示する。よって、外部から切り替え指示された任意のチャンネルを使用した信号送信時におけるスループットをユーザに通知することができる。
【００１５】
本発明に係る送信装置は、所定のスループットを予め記憶してある記憶部と、前記測定部が測定したスループットが、前記記憶部に記憶してある所定のスループット以上であるか否かを判定する判定部とを備え、前記表示部は、前記判定部の判定結果を表示するようにしてあることを特徴とする。
【００１６】
本発明によれば、測定したスループットが、予め記憶してある所定のスループット以上であるか否かの判定結果を表示する。よって、使用環境が良好であると判定できるスループットの値を予め記憶しておくことにより、表示された判定結果に基づいて、使用環境が良好であるか否かをユーザが容易に判断することができる。
【００１７】
本発明に係る受信装置は、無線通信に用いる複数のチャンネルのいずれかに切り替える切替部と、該切替部が切り替えたチャンネルを用いて外部から信号を受信する受信部とを有する受信装置において、前記切替部が切り替えたチャンネルを用いて前記受信部が信号を受信する際のスループットを測定する測定部と、該測定部が測定したスループットを表示する表示部とを備えることを特徴とする。
【００１８】
本発明によれば、チャンネルの切り替えが可能な受信装置が、切り替えたチャンネルを用いて外部から信号を受信する際のスループットを測定し、測定したスループットを表示する。よって、各チャンネルを使用した信号受信時におけるスループットをユーザに通知することができる。
【００１９】
本発明に係る受信装置は、前記複数のチャンネルのいずれかを選択する選択部を備え、前記切替部は、前記選択部が選択したチャンネルに切り替えるようにしてあることを特徴とする。
【００２０】
本発明によれば、受信装置は、切り替えるべきチャンネルの選択が可能である。受信装置は、切り替えるべきチャンネルを、自動的に又はユーザによる選択指示に従って選択し、選択したチャンネルに切り替え、切り替えたチャンネルを用いて信号を受信する際のスループットを測定して表示する。よって、任意のチャンネルを使用した信号受信時におけるスループットをユーザに通知することができる。
【００２１】
本発明に係る受信装置は、いずれのチャンネルに切り替えるべきかを指示する信号を取得する取得部を備え、前記切替部は、前記取得部が取得した信号に基づいて、前記複数のチャンネルのいずれかに切り替えるようにしてあることを特徴とする。
【００２２】
本発明によれば、受信装置は、チャンネルの切り替え指示を外部から取得し、取得した指示に従ってチャンネルを切り替える。受信装置は、外部から取得した指示に従って切り替えたチャンネルを用いて信号を受信する際のスループットを測定して表示する。よって、外部から切り替え指示された任意のチャンネルを使用した信号受信時におけるスループットをユーザに通知することができる。
【００２３】
本発明に係る受信装置は、所定のスループットを予め記憶してある記憶部と、前記測定部が測定したスループットが、前記記憶部に記憶してある所定のスループット以上であるか否かを判定する判定部とを備え、前記表示部は、前記判定部の判定結果を表示するようにしてあることを特徴とする。
【００２４】
本発明によれば、測定したスループットが、予め記憶してある所定のスループット以上であるか否かの判定結果を表示する。よって、使用環境が良好であると判定できるスループットの値を予め記憶しておくことにより、表示された判定結果に基づいて、使用環境が良好であるか否かをユーザが容易に判断することができる。
【００２５】
本発明に係る無線通信システムは、上述したように切り替えるべきチャンネルの選択が可能である送信装置と、上述したようにチャンネルの切り替え指示を外部から取得する受信装置とを備え、前記送信装置は、前記選択部が選択したチャンネルに切り替えることを指示する信号を前記受信装置へ送出するようにしてあり、前記受信装置の取得部は、前記送信装置から送出された前記信号を取得するようにしてあり、前記受信装置の切替部は、前記取得部が前記送信装置から取得した信号が指示するチャンネルに切り替えるようにしてあることを特徴とする。
【００２６】
本発明によれば、チャンネルの選択が可能な送信装置は、選択したチャンネルへの切り替え指示を受信装置へ送出し、受信装置は、送信装置から送出された指示に従ってチャンネルを切り替える。よって、任意のチャンネルを使用して送信装置と受信装置との間で行われる送受信処理におけるスループットをそれぞれユーザに通知することができる。
【００２７】
本発明に係る無線通信システムは、上述したようにチャンネルの切り替え指示を外部から取得する送信装置と、上述したように切り替えるべきチャンネルの選択が可能である受信装置とを備え、前記受信装置は、前記選択部が選択したチャンネルに切り替えることを指示する信号を前記送信装置へ送出するようにしてあり、前記送信装置の取得部は、前記受信装置から送出された前記信号を取得するようにしてあり、前記送信装置の切替部は、前記取得部が前記受信装置から取得した信号が指示するチャンネルに切り替えるようにしてあることを特徴とする。
【００２８】
本発明によれば、チャンネルの選択が可能な受信装置は、選択したチャンネルへの切り替え指示を送信装置へ送出し、送信装置は、受信装置から送出された指示に従ってチャンネルを切り替える。よって、任意のチャンネルを使用して送信装置と受信装置との間で行われる送受信処理におけるスループットをそれぞれユーザに通知することができる。
【発明の効果】
【００２９】
本発明では、送信装置は、切り替えられたチャンネルを用いて信号を送信する際のスループットを測定して表示し、受信装置は、切り替えられたチャンネルを用いて信号を受信する際のスループットを測定して表示する。よって、ユーザは、任意のチャンネルを使用して行われる送受信処理において、送信装置側及び受信装置側でのスループットをそれぞれ把握することができる。
またユーザは、送信装置／受信装置の配置位置を適宜変更しつつ、更に各配置位置においてチャンネルを適宜変更することにより、良好なスループットが得られるチャンネルだけでなく、送信装置／受信装置の配置位置も特定することができる。よって、送信装置／受信装置の各配置位置、及び使用チャンネルにおけるスループットに基づく使用環境の状態を確認できると共に、送信装置／受信装置の配置位置、及び使用チャンネルの最適化が可能となる。
【図面の簡単な説明】
【００３０】
【図１】実施形態１に係る無線通信システムの構成を示すブロック図である。
【図２】送信装置及び受信装置が行う処理の手順を示すフローチャートである。
【図３】実施形態２の送信装置及び受信装置が行う処理の手順を示すフローチャートである。
【発明を実施するための形態】
【００３１】
以下に、本発明に係る送信装置、受信装置及び無線通信システムについて、その実施形態を示す図面に基づいて詳述する。
【００３２】
（実施形態１）
以下に、実施形態１に係る無線通信システムについて説明する。
図１は、実施形態１に係る無線通信システムの構成を示すブロック図である。本実施形態１の無線通信システムは、送信装置１及び受信装置２を備え、送信装置１及び受信装置２は無線ＬＡＮを介して無線通信可能に構成されている。
【００３３】
本実施形態１の送信装置１は、制御部１０、ＲＡＭ（Random Access Memory）１１、記憶部１２、無線送信部１３、表示部１４、操作部１５等を備え、これらのハードウェア各部はそれぞれバスを介して相互に接続されている。
【００３４】
制御部１０は、ＣＰＵ（Central Processing Unit ）又はＭＰＵ（Micro Processor Unit）等であり、記憶部１２に予め記憶してある制御プログラムを適宜ＲＡＭ１１に読み出して実行すると共に、上述したハードウェア各部の動作を制御する。記憶部１２は、フラッシュメモリ又はハードディスク等であり、制御部１０が実行すべき制御プログラム及び各種データを予め記憶している。ＲＡＭ１１はＳＲＡＭ又はフラッシュメモリ等であり、制御部１０による制御プログラムの実行時に発生する種々のデータを一時的に記憶する。また制御部１０は、予め設定された所定時間を計時するタイマを有している。
【００３５】
無線送信部（送信部）１３は、例えば無線ＬＡＮモジュールであり、無線通信にて外部装置へ信号を送信するためのインタフェースである。無線送信部１３は、無線通信にて信号を送信するために電波の送信を行うアンテナ（図示せず）に接続されており、制御部１０からの指示に従ってアンテナを介して、無線通信可能に構成された外部装置へ信号を送信する。なお、送信装置１は、無線通信にて信号を送信する際に必要な制御信号を外部装置との間で送受信しており、無線送信部１３は、このような制御信号を受信する機能も有する。
【００３６】
表示部１４は、液晶ディスプレイ、プラズマディスプレイ又は有機ＥＬ（Electro Luminescence）ディスプレイ等であり、制御部１０からの指示に従って各種情報を表示する。また、表示部１４は、７セグメントＬＥＤディスプレイを用いて数を表示する構成でもよい。
操作部１５は、ユーザが送信装置１を操作するために必要な各種の操作キーを有しており、ユーザが操作した操作キーに基づく情報を受け付け、受け付けた情報を制御部１０へ送出する。
【００３７】
本実施形態１の受信装置２は、上述した送信装置１と同様の構成を有するが、無線送信部１３の代わりに無線受信部２３を備える。即ち、本実施形態１の受信装置２は、制御部２０、ＲＡＭ２１、記憶部２２、無線受信部２３、表示部２４、操作部２５等を備える。またこれらのハードウェア各部はそれぞれバスを介して相互に接続されている。
【００３８】
制御部２０は、ＣＰＵ又はＭＰＵ等であり、記憶部２２に予め記憶してある制御プログラムを適宜ＲＡＭ２１に読み出して実行すると共に、上述したハードウェア各部の動作を制御する。記憶部２２は、フラッシュメモリ又はハードディスク等であり、制御部２０が実行すべき制御プログラム及び各種データを予め記憶している。ＲＡＭ２１はＳＲＡＭ又はフラッシュメモリ等であり、制御部２０による制御プログラムの実行時に発生する種々のデータを一時的に記憶する。また制御部２０は、予め設定された所定時間を計時するタイマを有している。
【００３９】
表示部２４は、液晶ディスプレイ、プラズマディスプレイ又は有機ＥＬディスプレイ等であり、制御部２０からの指示に従って各種情報を表示する。
操作部２５は、ユーザが受信装置２を操作するために必要な各種の操作キーを有しており、ユーザが操作した操作キーに基づく情報を受け付け、受け付けた情報を制御部２０へ送出する。
【００４０】
無線受信部（受信部）２３は、例えば無線ＬＡＮモジュールであり、無線通信にて外部装置からの信号を受信するためのインタフェースである。無線受信部２３は、無線通信にて信号を受信するために電波の受信を行うアンテナ（図示せず）に接続されており、制御部２０からの指示に従ってアンテナを介して、無線通信可能に構成された外部装置から出力された信号を受信する。なお、受信装置２は、無線通信にて信号を受信する際に必要な制御信号を外部装置との間で送受信しており、無線受信部２３は、このような制御信号を送信する機能も有する。
【００４１】
本実施形態１の無線通信システムにおいて、送信装置１の制御部１０は、受信装置２へ信号を送信する際のスループットを測定する。なお、送信装置１が測定するスループットは、所定時間において、送信装置１が受信装置２へ送信できたデータ量を示す。また、受信装置２の制御部２０は、送信装置１からの信号を受信する際のスループットを測定する。なお、受信装置２が測定するスループットは、所定時間において、受信装置２が送信装置１から受信できたデータ量を示す。このようなスループットの測定処理は、送信装置１及び受信装置２の制御部（測定部）１０，２０が、記憶部１２，２２に予め記憶してある所定の制御プログラムをＲＡＭ１１，２１に読み出して実行することにより行われる。
送信装置１及び受信装置２は、それぞれ測定したスループットを表示部１４，２４に表示させ、ユーザに通知する。
【００４２】
また本実施形態１の無線通信システムでは、送信装置１は親機として動作し、受信装置２は子機として動作する。即ち、送信装置１が、無線通信に使用するチャンネルを選択し、選択したチャンネルを用いた無線通信を受信装置２に要求することにより、送信装置１及び受信装置２間における無線通信に用いられるチャンネルを変更することができる。なお、送信装置１は、親機として動作するために必要な制御プログラムを記憶部１２に予め記憶しており、受信装置２は、子機として動作するために必要な制御プログラムを記憶部２２に予め記憶している。
【００４３】
以下に、本実施形態１の無線通信システムにおいて、送信装置１及び受信装置２が行う処理について説明する。図２は、送信装置１及び受信装置２が行う処理の手順を示すフローチャートである。
【００４４】
ユーザは、送信装置１及び受信装置２の操作部１５，２５を操作することにより送信装置１及び受信装置２を起動させる。起動処理が完了した送信装置１において、制御部（選択部）１０は、１つのチャンネルを設定（選択）する（Ｓ１）。制御部１０は、ユーザが操作部１５を介して選択指示したチャンネルを設定してもよいし、予め複数のチャンネル番号を記憶部１２に記憶しておき、複数のチャンネルのうちから現在使用されていないチャンネルを検索して設定してもよい。制御部１０は、設定したチャンネルを示す情報（チャンネル番号等）を現在使用中のチャンネル番号として、例えばＲＡＭ１１に格納する。これにより、制御部（切替部）１０は、選択したチャンネルを使用チャンネルに切り替える。そして制御部１０は、設定したチャンネルでの接続（無線通信）を無線送信部１３から受信装置２に要求する（Ｓ２）。
【００４５】
受信装置２の制御部（取得部）２０は、送信装置１の制御部１０にて選択されたチャンネルでの接続要求を無線受信部２３を介して取得する。そして、制御部２０は、指定されたチャンネルでの接続（無線通信）が可能であれば、送信装置１からの接続要求に対して無線受信部２３にて応答し（Ｓ３）、送信装置１から送信されてくる信号の受信待ち状態となる。なお、制御部（切替部）２０は、接続要求されたチャンネルを示す情報を現在使用中のチャンネル番号として、例えばＲＡＭ２１に格納することにより、接続要求されたチャンネルを使用チャンネルに切り替える。
【００４６】
受信装置２からの応答があった場合、送信装置１の制御部１０は、ステップＳ１で設定したチャンネルを用いた受信装置２との接続を確立し、受信装置２との間で信号を送受信する際のスループットを測定するための測定用データの送信処理を開始する（Ｓ４）。送信装置１は、測定用データの送信を開始した場合、ユーザによって動作終了を指示されるか、ユーザによってチャンネルの変更を指示されるか、受信装置２からチャンネルの変更を要求されるまで、同一のチャンネルを用いて測定用データを受信装置２へ送信し続ける。
【００４７】
受信装置２の制御部２０は、接続要求されたチャンネルを用いた送信装置１との接続を確立し、送信装置１から送信されてくる測定用データの受信処理を開始する（Ｓ５）。受信装置２は、測定用データの受信を開始した場合、ユーザによって動作終了を指示されるか、送信装置１から測定用データの送信が終了するか、ユーザによってチャンネルの変更を指示されるか、送信装置１からチャンネルの変更を指示されるまで、同一のチャンネルを用いて測定用データの受信を継続する。
【００４８】
測定用データの送信を開始した送信装置１において、制御部１０は、タイマを用いて所定時間を計時しつつ、所定時間内に受信装置２へ送信できたデータ量を測定する（Ｓ６）。送信装置１は、データを例えばパケット単位で受信装置２へ送信しており、受信装置２は、送信装置１から送信された各パケットを受信した場合、受信できたことを示す信号を送信装置１へ返す。これにより、送信装置１は、自身が送信した各パケットが確実に受信装置２へ送信できたことを把握でき、このように受信装置２へ確実に送信できたデータのデータ量を測定する。
【００４９】
制御部１０は、測定したデータ量を、タイマが計時する所定時間で除算することにより、単位時間当たりのデータ送信量を示すスループット値を算出し、表示部１４に表示する（Ｓ７）。例えば、タイマが３秒を計時している場合、ステップＳ６で測定できたデータ量を３秒で除算することにより、１秒間に受信装置２へ送信できたデータ量（スループット値）を算出できる。よって、ユーザは、表示されたスループット値に基づいて、送信装置１側におけるスループットを把握できる。なお、タイマが計時する時間、即ち、データ送信量を測定する測定間隔は、変更可能であってもよい。
【００５０】
一方、測定用データの受信を開始した受信装置２において、制御部２０は、タイマを用いて所定時間を計時しつつ、所定時間内に受信できたデータ量を測定する（Ｓ１０）。受信装置２の制御部２０は、測定したデータ量を、タイマが計時する所定時間で除算することにより、単位時間当たりのデータ受信量を示すスループット値を算出し、表示部２４に表示する（Ｓ１１）。例えば、タイマが３秒を計時している場合、ステップＳ１０で測定できたデータ量を３秒で除算することにより、１秒間に受信できたデータ量（スループット値）を算出できる。よって、ユーザは、表示されたスループット値に基づいて、受信装置２側におけるスループットを把握できる。ここでも、タイマが計時する時間、即ち、データ受信量を測定する測定間隔は、変更可能であってもよい。
【００５１】
受信装置２の制御部２０は、ユーザが操作部２５を操作することにより、チャンネルの変更を要求されたか否かを判断している（Ｓ１２）。なお、ユーザは、変更すべきチャンネル番号を具体的に要求してもよいし、単にチャンネルを変更することを要求してもよい。チャンネルの変更を要求されていないと判断した場合（Ｓ１２：ＮＯ）、制御部２０は、ステップＳ１０に処理を戻し、ステップＳ１０，Ｓ１１の処理を繰り返す。ステップＳ１０において、制御部２０は、タイマによる所定時間の計時が完了する都度、次の所定時間の計時を開始すると共に、次の所定時間内におけるデータ受信量の測定を開始する。また、ステップＳ１１において、制御部２０は、ステップＳ１０でデータ受信量が測定される都度、測定されたデータ量に基づいてスループット値を順次算出し、表示する。よって、ユーザによってチャンネルの変更が要求されるまで、制御部２０は、ステップＳ１０，Ｓ１１の処理を繰り返し、これにより、時時刻刻と変化する受信装置２側でのスループットをユーザに通知できる。
【００５２】
チャンネルの変更を要求されたと判断した場合（Ｓ１２：ＹＥＳ）、制御部２０は、無線受信部２３からチャンネルの変更要求を送信装置１へ送信する（Ｓ１３）。その後、制御部２０は、送信装置１から異なるチャンネルでの接続が要求されることを待つ状態となる。なお、このとき、受信装置２は、所定時間内におけるデータ受信量の測定、スループット値の算出及び表示を継続していてもよい。そして、送信装置１から異なるチャンネルでの接続を要求された場合、指定されたチャンネルでの接続が可能であれば、送信装置１に対して応答し（Ｓ３）、再度送信装置１からの信号受信待ち状態となる。
【００５３】
送信装置１においても、制御部１０は、ユーザが操作部１５を操作することにより、使用するチャンネルの変更が指示されたか否かを判断している（Ｓ８）。なお、ユーザは、変更すべきチャンネル番号を具体的に指示してもよいし、単にチャンネルを変更することを指示してもよい。チャンネルの変更が指示されたと判断した場合（Ｓ８：ＹＥＳ）、制御部１０は、ステップＳ１に処理を戻し、異なるチャンネルを設定（選択）し（Ｓ１）、ステップＳ２以降の処理を繰り返す。ユーザによって具体的なチャンネル番号が指示されている場合、制御部１０は、指示されたチャンネルを設定する。また、ユーザによって単にチャンネルを変更することを指示されている場合、制御部１０は、予め記憶部１２にチャンネル番号が記憶された複数のチャンネルのうちから使用されていない異なるチャンネルを検索して設定してもよいし、所定の順序で異なるチャンネルを順次設定してもよい。
【００５４】
チャンネルの変更が指示されていないと判断した場合（Ｓ８：ＮＯ）、制御部１０は、受信装置２からチャンネルの変更要求があったか否かを判断する（Ｓ９）。チャンネルの変更要求がないと判断した場合（Ｓ９：ＮＯ）、制御部１０は、ステップＳ６に処理を戻し、ステップＳ６〜Ｓ９の処理を繰り返す。ステップＳ６において、制御部１０は、タイマによる所定時間の計時が完了する都度、次の所定時間の計時を開始すると共に、次の所定時間内におけるデータ送信量の測定を開始する。また、ステップＳ７において、制御部１０は、ステップＳ６でデータ送信量が測定される都度、測定されたデータ量に基づいてスループット値を順次算出し、表示する。よって、ユーザによってチャンネルの変更が指示されるまで、又は受信装置２からチャンネルの変更要求があるまで、制御部１０は、ステップＳ６，Ｓ７の処理を繰り返し、これにより、時時刻刻と変化する送信装置１側でのスループットをユーザに通知できる。
【００５５】
受信装置２からチャンネルの変更要求があったと判断した場合（Ｓ９：ＹＥＳ）、制御部１０は、ステップＳ１に処理を戻し、受信装置２から変更要求されたチャンネル又は使用されていないチャンネルを設定し（Ｓ１）、ステップＳ２以降の処理を繰り返す。
本実施形態１の無線通信システムにおいて、送信装置１及び受信装置２は、ユーザによって動作終了を指示されるまで上述した処理を繰り返す。よって、送信装置１側でのスループット及び受信装置２側でのスループットをそれぞれ継続して観測することができる。また送信装置１及び受信装置２間で実際にデータ（測定用データ）を送受信して測定したスループットを観測できるので、受信電波強度に基づいて使用環境が良好であるか否かを判定する場合よりも、より正確な判定が可能となる。
【００５６】
また例えば、送信装置１及び受信装置２のそれぞれの配置位置を適宜変更しつつそれぞれの配置位置でのスループットを観測することにより、送信装置１及び受信装置２における最適な配置位置を特定できる。具体的には、ユーザが送信装置１（又は受信装置２）を保持した状態で移動することにより、それぞれの位置での送信装置１（又は受信装置２）におけるスループットを継続して観測できる。よって、ユーザはスループットの測定を指示するための操作を行うことなく、各装置１，２の配置位置の変更に伴って変化する各装置１，２におけるスループットを継続して観測できる。
【００５７】
また本実施形態１では、送信装置１及び受信装置２がそれぞれ測定したスループットを表示部１４，２４に表示するので、送信装置１及び受信装置２のそれぞれにおいてそれぞれのスループットを確認できる。よって、送信装置１及び受信装置２が異なる部屋に配置されている場合であっても、それぞれの部屋においてそれぞれの装置１，２におけるスループットを確認できる。
よって、例えば、送信装置１及び受信装置２における配置環境の微調整（配置位置を数ｃｍ移動させる、向きを数度変更する、アンテナの向きを変更する等）を行った場合に、即座にその影響を確認できる。
【００５８】
また本実施形態１では、送信装置１が親機として動作するので、送信装置１及び受信装置２間の無線通信で使用するチャンネルを適宜変更し、各チャンネルでのスループットを観測することができる。また、子機として動作する受信装置２からもチャンネルの変更指示が可能である。このように使用チャンネルを変更できるので、無線干渉や不要輻射等が発生しないチャンネルを選択した場合、無線干渉や不要輻射等が発生しない環境でのスループットを測定できる。よって、より良好な環境を実現できるチャンネルを特定できる。
通常親機は、予め設定されたチャンネルを使用し続けるので、他のチャンネルが使用されていない場合であっても、チャンネルを変更することはできない。しかし、本実施形態１の無線通信システムは、親機及び子機が同時にチャンネルを変更することができるので、任意のチャンネルのうちで最適なチャンネルを見つけ出すことができる。
【００５９】
上述した構成の無線通信システムを用いることにより、例えば、無線ＬＡＮのアクセスポイントを設置する前に、アクセスポイント（親機）及びステーション（子機）における最適な配置場所、不適切な配置場所を把握できる。
また近年、チューナを備える本体部と、ディスプレイを備えるモニタ部とが別体で構成され、チューナが受信して本体部で処理されたテレビジョン放送信号が、無線ＬＡＮを介してモニタ部に伝送されるテレビジョン受信機が販売されている。このようなテレビジョン受信機の購入を検討しているユーザは、本体部の設置予定場所に送信装置１を配置し、モニタ部の設置予定場所に受信装置２を配置して、それぞれにおけるスループットを観測する。これにより、本体部及びモニタ部を設置予定場所に設置した場合に、良好な映像を視聴できるか否かを事前に把握できる。また、本実施形態１の無線通信システムを用いることにより、このようなテレビジョン受信機を購入又は設置する前に、本体部及びモニタ部における最適な配置場所、不適切な配置場所を把握できる。
【００６０】
本実施形態１では、送信装置１及び受信装置２がそれぞれ測定したスループットを表示部１４，２４に表示する構成であった。このほかに、例えば、スループットが良好な値であるか否かを判定するための基準スループット値を予め記憶部１２，２２に格納しておき、制御部１０，２０がそれぞれ算出したスループット値が基準スループット値以上であるか否かを制御部（判定部）１０，２０にて判定し、その判定結果を表示部１４，２４に表示させてもよい。例えば、基準スループット値以上であれば、表示部１４，２４に「良好」、「ＯＫ」等を表示し、基準スループット値未満であれば、表示部１４，２４に「不適」、「ＮＧ」等を表示してもよい。また、判定結果を２段階ではなく、３段階で表示してもよい。例えば、算出したスループット値が基準スループット値よりも所定値以上高い場合、「最適」、「ＯＫ」等を表示し、基準スループット値未満の場合、「不適」、「ＮＧ」等を表示し、それ以外の場合、「良好」、「Nervous」等を表示してもよい。
【００６１】
このような構成とした場合、ユーザは、表示部１４，２４に表示された判定結果に基づいて、良好な環境であるか否かを容易に判断できる。例えば、地上デジタル放送の場合は１５Ｍｂｐｓ、ＢＳデジタル放送の場合は２３Ｍｂｐｓ、ＤＬＮＡ（Digital Living Network Alliance）の場合は２５Ｍｂｐｓ等のように受信電波によって必要なデータ転送レートが予め特定されている。このような場合に、このデータ転送レートを基準スループット値として設定しておくことにより、それぞれの電波を受信する環境として、良好であるか否か、無線通信が可能であるか否かを容易に判断できる。なお、基準スループット値をユーザによって任意の値に変更可能としてもよい。
【００６２】
また、基準スループット値に基づく判定結果を表示する構成とする場合、表示部１４，２４の代わりに、緑色及び赤色の２色のＬＥＤを用い、基準スループット値以上であれば緑色のＬＥＤを点灯させ、基準スループット値未満であれば、赤色のＬＥＤを点灯させるようにしてもよい。また、例えば、緑色、赤色及びオレンジ色の３色のＬＥＤを用い、基準スループット値よりも所定値以上高い場合、緑色のＬＥＤを点灯させ、基準スループット値未満の場合、赤色のＬＥＤを点灯させ、それ以外の場合、オレンジ色のＬＥＤを点灯するようにしてもよい。
【００６３】
（実施形態２）
以下に、実施形態２に係る無線通信システムについて説明する。本実施形態２の無線通信システムは、上述の実施形態１の無線通信システムと同様の構成により実現できるので、構成についての詳細な説明を省略する。
なお、本実施形態２の無線通信システムでは、受信装置２が親機として動作し、送信装置１が子機として動作する。即ち、受信装置２が、無線通信に使用するチャンネルを選択し、選択したチャンネルを用いた無線通信を送信装置１に要求することにより、送信装置１及び受信装置２間における無線通信に用いられるチャンネルを変更することができる。
【００６４】
以下に、本実施形態２の無線通信システムにおいて、送信装置１及び受信装置２が行う処理について説明する。図３は、実施形態２の送信装置１及び受信装置２が行う処理の手順を示すフローチャートである。なお、上述の実施形態１の無線通信システムにおける送信装置１及び受信装置２と同様の動作については、詳細な説明を省略する。
【００６５】
ユーザは、送信装置１及び受信装置２の操作部１５，２５を操作することにより送信装置１及び受信装置２を起動させる。起動処理が完了した受信装置２において、制御部（選択部）２０は、１つのチャンネルを設定（選択）する（Ｓ２１）。制御部２０は、ユーザが操作部２５を介して選択指示したチャンネルを設定してもよいし、予め複数のチャンネル番号を記憶部２２に記憶しておき、複数のチャンネルのうちから現在使用されていないチャンネルを検索して設定してもよい。制御部２０は、設定したチャンネルを示す情報（チャンネル番号等）を現在使用中のチャンネル番号として、例えばＲＡＭ２１に格納する。そして制御部２０は、設定したチャンネルでの接続（無線通信）を無線受信部２３から送信装置１に要求する（Ｓ２２）。
【００６６】
送信装置１の制御部１０は、指定されたチャンネルでの接続（無線通信）が可能であれば、受信装置２からの接続要求に対して無線送信部１３にて応答し（Ｓ２３）、受信装置２との接続を確立する。送信装置１からの応答があった場合、受信装置２の制御部２０は、ステップＳ２１で設定したチャンネルを用いた送信装置１との接続を確立する。
【００６７】
送信装置１の制御部１０は、受信装置２との間で信号を送受信する際のスループットを測定するための測定用データの送信処理を開始する（Ｓ２４）。送信装置１は、測定用データの送信を開始した場合、ユーザによって動作終了を指示されるか、ユーザによってチャンネルの変更を要求されるか、受信装置２からチャンネルの変更を指示されるまで、同一のチャンネルを用いて測定用データを受信装置２へ送信し続ける。
【００６８】
受信装置２の制御部２０は、送信装置１から送信されてくる測定用データの受信処理を開始する（Ｓ２５）。受信装置２は、測定用データの受信を開始した場合、ユーザによって動作終了を指示されるか、ユーザによってチャンネルの変更を指示されるか、送信装置１から測定用データの送信が終了するか、送信装置１からチャンネルの変更を要求されるまで、同一のチャンネルを用いて測定用データの受信を継続する。
【００６９】
測定用データの送信を開始した送信装置１において、制御部１０は、タイマを用いて所定時間を計時しつつ、所定時間内に受信装置２へ送信できたデータ量を測定する（Ｓ２６）。制御部１０は、測定したデータ量を、タイマが計時する所定時間で除算することにより、単位時間当たりのデータ送信量を示すスループット値を算出し、表示部１４に表示する（Ｓ２７）。
【００７０】
送信装置１の制御部１０は、ユーザが操作部１５を操作することにより、チャンネルの変更を要求されたか否かを判断している（Ｓ２８）。チャンネルの変更を要求されていないと判断した場合（Ｓ２８：ＮＯ）、制御部１０は、ステップＳ２６に処理を戻し、ステップＳ２６，Ｓ２７の処理を繰り返す。ステップＳ２６において、制御部１０は、タイマによる所定時間の計時が完了する都度、次の所定時間の計時を開始すると共に、次の所定時間内におけるデータ送信量の測定を開始する。また、ステップＳ２７において、制御部１０は、ステップＳ２６でデータ送信量が測定される都度、測定されたデータ量に基づいてスループット値を順次算出し、表示する。よって、ユーザによってチャンネルの変更が要求されるまで、制御部１０は、ステップＳ２６，Ｓ２７の処理を繰り返し、これにより、時時刻刻と変化する送信装置１側でのスループットをユーザに通知できる。
【００７１】
チャンネルの変更を要求されたと判断した場合（Ｓ２８：ＹＥＳ）、制御部１０は、無線送信部１３からチャンネルの変更要求を受信装置２へ送信する（Ｓ２９）。その後、制御部１０は、受信装置２から異なるチャンネルでの接続が要求されることを待つ状態となる。なお、このとき、送信装置１は、測定用データの受信装置２への送信、所定時間内におけるデータ送信量の測定、スループット値の算出及び表示を継続していてもよい。そして、受信装置２から異なるチャンネルでの接続を要求された場合、指定されたチャンネルでの接続が可能であれば、受信装置２に対して応答し（Ｓ２３）、再度受信装置２へ測定用データの送信を開始する。
【００７２】
一方、測定用データの受信を開始した受信装置２において、制御部２０は、タイマを用いて所定時間を計時しつつ、所定時間内に受信できたデータ量を測定する（Ｓ３０）。受信装置２の制御部２０は、測定したデータ量を、タイマが計時する所定時間で除算することにより、単位時間当たりのデータ受信量を示すスループット値を算出し、表示部２４に表示する（Ｓ３１）。
【００７３】
受信装置２の制御部２０は、ユーザが操作部２５を操作することにより、使用するチャンネルの変更が指示されたか否かを判断している（Ｓ３２）。チャンネルの変更が指示されたと判断した場合（Ｓ３２：ＹＥＳ）、制御部２０は、ステップＳ２１に処理を戻し、変更指示されたチャンネルを設定（選択）し（Ｓ２１）、ステップＳ２２以降の処理を繰り返す。
【００７４】
チャンネルの変更が指示されていないと判断した場合（Ｓ３２：ＮＯ）、制御部２０は、送信装置１からチャンネルの変更要求があったか否かを判断する（Ｓ３３）。チャンネルの変更要求がないと判断した場合（Ｓ３３：ＮＯ）、制御部２０は、ステップＳ３０に処理を戻し、ステップＳ３０〜Ｓ３３の処理を繰り返す。ステップＳ３０において、制御部２０は、タイマによる所定時間の計時が完了する都度、次の所定時間の計時を開始すると共に、次の所定時間内におけるデータ受信量の測定を開始する。また、ステップＳ３１において、制御部２０は、ステップＳ３０でデータ受信量が測定される都度、測定されたデータ量に基づいてスループット値を順次算出し、表示する。よって、ユーザによってチャンネルの変更が指示されるまで、又は送信装置１からチャンネルの変更要求があるまで、制御部２０は、ステップＳ３０，Ｓ３１の処理を繰り返し、これにより、時時刻刻と変化する受信装置２側でのスループットをユーザに通知できる。
【００７５】
送信装置１からチャンネルの変更要求があったと判断した場合（Ｓ３３：ＹＥＳ）、制御部２０は、ステップＳ２１に処理を戻し、変更指示されたチャンネル又は使用されていないチャンネルを設定し（Ｓ２１）、ステップＳ２２以降の処理を繰り返す。
本実施形態２の無線通信システムにおいても、送信装置１及び受信装置２は、ユーザによって動作終了を指示されるまで上述した処理を繰り返す。よって、送信装置１側でのスループット及び受信装置２側でのスループットをそれぞれ継続して観測することができる。
【００７６】
上述したように本実施形態２の無線通信システムでは、受信装置２が親機として動作し、送信装置１が子機として動作するが、本実施形態２においても、上述した実施形態１で得られる効果と同様の効果が得られる。
また本実施形態２の無線通信システムにおいても、上述した実施形態１で説明した変形例と同様の変形例の適用が可能である。
【００７７】
以上、本発明の好適な実施形態について具体的に説明したが、各構成及び動作等は適宜変更可能であって、上述の実施形態に限定されることはない。
【符号の説明】
【００７８】
１  送信装置
２  受信装置
１０  制御部（切替部、測定部、選択部、取得部、判定部）
１２  記憶部
１３  無線送信部（送信部）
１４  表示部
２０  制御部（切替部、測定部、選択部、取得部、判定部）
２２  記憶部
２３  無線受信部（受信部）
２４  表示部
【図１】
2014049893.tif 000003
【図２】
2014049893.tif 000004
【図３】
2014049893.tif 000005